(57)【要約】【課題】適応アンテナシステムの受信器においてパラメータを推定する。【解決手段】ビーム信号及びアンテナ信号を送信するための適応アンテナ送信器を有する通信システムの受信器において送信された信号の特性(characteristics)を決定する方法であって、通信システムが、複数のセルを備えるセルラー・システムであり、各セルが、少なくとも１つのセクタを備え、方法が、ビーム信号を受信し、アンテナ信号を受信し、そして、受信されたアンテナ信号内の受信された情報に基づいて、受信されたビーム信号のパラメータを推定する、ステップを含み、アンテナ信号が全セクタに亘って送信され、ビーム信号がセクタの一部に亘って送信され、前記パラメータを推定するステップが、更に、受信されたビーム信号に基づく、方法。【選択図】図２
2008199636.tif 000002
【特許請求の範囲】
【請求項１】
ビーム信号及びアンテナ信号を送信するための適応アンテナ送信器を有する通信システムの受信器において送信された信号の特性(characteristics)を決定する方法であって、
前記通信システムが、複数のセルを備えるセルラー・システムであり、各セルが、少なくとも１つのセクタを備え、
前記方法が、
ビーム信号を受信し、
アンテナ信号を受信し、そして、
受信されたアンテナ信号内の受信された情報に基づいて、受信されたビーム信号のパラメータを推定する、
ステップを含み、
アンテナ信号が全セクタに亘って送信され、ビーム信号がセクタの一部に亘って送信され、
前記パラメータを推定するステップが、更に、受信されたビーム信号に基づく、
方法。
【請求項２】
上記アンテナ信号は、共通のパイロットチャンネルを含み、上記パラメータを推定する段階は、その共通のパイロット信号において受信された信号に基づく請求項１に記載の方法。
【請求項３】
上記ビーム信号は、専用チャンネルを含み、上記パラメータを推定する段階は、更に、その専用チャンネルにおいて受信された信号に基づく請求項１又は２に記載の方法。
【請求項４】
上記ビーム信号は、二次共通パイロットチャンネルを含み、上記パラメータを推定する段階は、更に、その二次共通パイロットチャンネルにおいて受信された信号に基づく請求項１又は２に記載の方法。
【請求項５】
上記通信システムは、セルラー通信システムであり、そしてそのセルラー通信システムは、少なくとも１つのセクターを各々含む複数のセルを備えた請求項１ないし４のいずれかに記載の方法。
【請求項６】
上記アンテナ信号は、全セクターを経由して送信され、そして上記ビーム信号は、セクターの一部分を経て送信される請求項５に記載の方法。
【請求項７】
上記通信システムは、Ｗ−ＣＤＭＡシステムである請求項１ないし６のいずれかに記載の方法。
【請求項８】
上記アンテナ信号は、一次共通パイロットチャンネルを含む請求項７に記載の方法。
【請求項９】
上記ビーム信号は、二次共通パイロットチャンネルを含む請求項７又は８に記載の方法。
【請求項１０】
上記パラメータを推定する段階は、一次共通パイロットチャンネルにおいて送信されたパイロット信号を使用する請求項８に記載の方法。
【請求項１１】
上記パラメータを推定する段階は、二次共通パイロットチャンネルにおいて送信されたパイロット信号を使用する請求項９に記載の方法。
【請求項１２】
上記ビーム信号は、専用の物理的チャンネルを含む請求項７ないし１１のいずれかに記載の方法。
【請求項１３】
上記パラメータを推定する段階は、上記専用の物理的チャンネルにおいて送信された信号を使用する請求項１２に記載の方法。
【請求項１４】
上記パラメータを推定する段階は、チャンネル推定ステップを含む請求項１ないし１３のいずれかに記載の方法。
【請求項１５】
上記ビーム信号のチャンネル推定は、ビーム信号とアンテナ信号との間の統計学的特性を使用することにより計算される請求項１４に記載の方法。
【請求項１６】
上記ビーム信号のチャンネル推定は、アンテナ信号の以前の知識を使用することにより計算される請求項１４に記載の方法。
【請求項１７】
上記ビーム信号のチャンネル推定は、ビーム信号の以前の知識を更に使用することにより計算される請求項１６に記載の方法。
【請求項１８】
上記チャンネルは、次の式で推定され、
2008199636.tif 000013
但し、
2008199636.tif 000014
2008199636.tif 000015
2008199636.tif 000016
請求項１７に記載の方法。
【請求項１９】
上記重みファクタは、次の式で計算され、
2008199636.tif 000017
但し、
2008199636.tif 000018
2008199636.tif 000019
請求項１８に記載の方法。
【請求項２０】
上記時間変化相関係数の予想値は、次のように計算され、
2008199636.tif 000020
但し、conj(・)は、引数の複素共役である、
請求項１９に記載の方法。
【請求項２１】
上記重みファクタは、ｈDL-CPCCH及びｈP-CPICHの間の相関特性を使用することにより計算される請求項１８に記載の方法。
【請求項２２】
ビーム信号及びアンテナ信号を送信するための適応アンテナ送信器を有するＷ−ＣＤＭＡ通信システムの受信器においてチャンネル推定を決定する方法であって、
前記通信システムが、複数のセルを備えるセルラー・システムであり、各セルが、少なくとも１つのセクタを備え、前記方法が、
専用チャンネルを有するビーム信号を受信し、
一次共通(primay common)パイロット・チャンネルを有するアンテナ信号を受信し、そして、
一次共通パイロット・チャンネル内の受信されたパイロット信号に基づいて、受信されたビーム信号についてチャンネル推定を実行する、
ステップを更に含み、
アンテナ信号が全セクタに亘って(over)送信され、ビーム信号がセクタの一部に亘って送信され、
チャンネル推定が、追加的に、専用物理チャンネル内で受信された専用信号に基づく、
方法。
【請求項２３】
上記チャンネル推定は、更に、二次共通パイロットチャンネルにおいて受信されたパイロット信号に基づく請求項２２に記載の方法。
【請求項２４】
ビーム信号及びアンテナ信号を送信するための適応アンテナ送信器を有する通信システムの受信器であって、
前記通信システムが、複数のセルを備えるセルラー・システムであり、各セルが、少なくとも１つのセクタを備え、送信器が、
ビーム信号を受信するための第１の入力手段、
アンテナ信号を受信するための第２の入力手段、及び、
アンテナ信号内の受信された情報に基づいて、受信されたビーム信号のパラメータを推定するための、前記第２の入力手段に接続された、推定手段、
を備え、
アンテナ信号が全セクタに亘って(over)送信され、ビーム信号がセクタの一部に亘って送信され、そして、
ビーム信号内の追加的に受信された情報に基づいてパラメータを推定するために、推定手段が、更に、前記第１の入力手段に接続される、
受信器。
【請求項２５】
上記アンテナ信号は、共通のパイロットチャンネルを含み、上記情報は、この共通のパイロットチャンネルにおいて受信される請求項２４に記載の受信器。
【請求項２６】
上記ビーム信号は、専用チャンネルを含み、上記情報は、更に、この専用チャンネルにおいて受信される請求項２４又は２５に記載の受信器。
【請求項２７】
上記ビーム信号は、二次パイロット信号を含み、上記情報は、更に、この二次共通パイロットチャンネルにおいて受信される請求項２４又は２５に記載の受信器。
【請求項２８】
請求項２３ないし２７のいずれかに記載の受信器を備えたＷ−ＣＤＭＡシステム。
【請求項２９】
請求項２４ないし２７のいずれかに記載の受信器を含む少なくとも１つの移動ステーションを備えたＷ−ＣＤＭＡシステム。
【請求項３０】
上記アンテナ信号は、一次共通パイロットチャンネルを含む請求項２８又は２９に記載の受信器。
【請求項３１】
上記ビーム信号は、二次共通パイロットチャンネルを含む請求項２８ないし３０のいずれかに記載の受信器。
【請求項３２】
パラメータを推定する上記段階は、一次及び／又は二次の共通パイロットチャンネルにおいて送信されるパイロット信号を使用する請求項３１に記載の受信器。
【請求項３３】
上記ビーム信号は、専用の物理的チャンネルを含む請求項２８ないし３２のいずれかに記載の受信器。
【請求項３４】
上記パラメータの推定は、専用チャンネルにおいて送信される信号を使用する請求項３３に記載の受信器。
【請求項３５】
上記パラメータの推定は、チャンネル推定を含む請求項２４ないし３４のいずれかに記載の受信器。
【発明の詳細な説明】
【技術分野】
【０００１】
本発明は、適応アンテナシステムの受信器においてパラメータを推定するための技術に係り、より詳細には、移動通信システムの移動ステーションの受信器におけるチャンネル推定に係るが、これに限定されない。
【背景技術】
【０００２】
ワイドバンドコード分割多重アクセス（Ｗ−ＣＤＭＡ）システムでは、受信器の性能に著しい影響を及ぼす最も重要なタスクの１つが、複素チャンネル係数を推定するチャンネル推定である。チャンネル推定の目標は、できるだけ完全な送信信号のレプリカが検索されるように無線チャンネルにより送信信号に生じる歪を打ち消すことである。これは、受信信号に複素共役チャンネル推定を乗算するようなコヒレントな復調により達成できる。しかしながら、多経路高速フェージング状態では、コヒレントな検出を行うことが困難であり、挑戦的な高速フェージング環境のもとで満足に機能するチャンネル推定方法が必要とされる。
【０００３】
チャンネル多経路プロファイルは、レーキ(rake)受信器の各一時的なレーキフィンガーにおいて推定を個々に行わねばならないために、チャンネル推定の性能に大きく影響する。チャンネルにおける多経路要素が多いほど、チャンネルエネルギーが伝播路へ分散されるために、レーキフィンガー当りの信号対雑音比（ＳＮＲ）が低くなる。
【０００４】
ワイドバンドコード分割多重アクセス（ＷＣＤＭＡ）システムの順方向リンク即ちダウンリンクでは、一次共通パイロットチャンネル（Ｐ−ＣＰＩＣＨ）が全セル又はセクタを経てブロードキャストされる。又、Ｐ−ＣＰＩＣＨは、マルチビーム構成（セクタ当り多数のビーム）及びユーザ特有のビーム成形の場合にもブロードキャストされる。それ故、適用される送信構成に関わらずセクタ当り１つのこのようなチャンネルが常に存在する。
【０００５】
適応アンテナ技術を使用するシステムでは、専用チャンネルが、通常、狭いビームを経て送信され、これは、Ｐ−ＣＰＩＣＨ及びダウンリンク専用物理的チャンネル（ＤＬ−ＤＰＣＨ）が、通常、移動ステーションアンテナへの送信において異なるチャンネル特性を経験することを意味する。
現在の既知のシステムでは、ダウンリンク専用物理的制御チャンネル（ＤＬ−ＤＰＣＣＨ）が適応アンテナシステムにおいてＤＬ−ＤＰＣＨに対する位相基準として使用される。というのは、Ｐ−ＣＰＩＣＨは、同じチャンネル特性を経験しないからである。
それ故、本発明の目的は、適応アンテナシステムの受信器においてパラメータを推定するための改良された技術を提供することである。
【発明の開示】
【課題を解決するための手段】
【０００６】
本発明の第１の特徴によれば、適応アンテナ送信器を有する通信システムの受信器において送信信号の特性を決定する方法であって、ビーム信号を受信し、アンテナ信号を受信し、そしてその受信したアンテナ信号において受信された情報に基づいてその受信したビーム信号のパラメータを推定するという段階を備えた方法が提供される。
【０００７】
パラメータを推定する上記段階は、更に、受信したビーム信号に基づいて行われる。
アンテナ信号とは、ここでは、多数のユーザに対して共通にブロードキャストされる（全セクタを経て送信される）信号であり、一方、ビーム信号は、ユーザ特有の送信（マルチビームシステムの場合には、ユーザグループ特有の送信）である。又、アンテナ信号は、アンテナアレーの全素子から送信することによって発生することもできる。ビーム信号は、一般に、セクタの一部分を経て送信される。適応アンテナ送信構成の場合、いわゆるアンテナ及びビーム信号は、移動ステーションアンテナへの送信において異なるチャンネル特性を経験し得る。
【０００８】
アンテナ信号は、共通のパイロットチャンネルを含み、パラメータを推定する上記段階は、この共通のパイロットチャンネルにおいて受信された信号に基づいて行われる。ビーム信号は、専用のパイロットチャンネルを含み、パラメータを推定する上記段階は、更に、この専用のパイロットチャンネルにおいて受信された信号に基づいて行われる。
上記通信システムは、Ｗ−ＣＤＭＡシステムであるのが好ましい。
【０００９】
アンテナ信号は、一次共通パイロットチャンネルを含む。パラメータを推定する上記段階は、この一次共通パイロットチャンネルにおいて送信されたパイロット信号を使用することができる。
ビーム信号は、二次共通パイロットチャンネル（Ｓ−ＣＰＩＣＨ）を含む。パラメータを推定する上記段階は、この二次共通パイロットチャンネルにおいて送信されたパイロット信号を使用することができる。
【００１０】
ビーム信号は、専用の物理的チャンネルを含む。パラメータを推定する上記段階は、この専用の物理的チャンネルにおいて送信された信号（ＤＬ−ＤＰＣＨの制御及びデータの両記号）を使用することができる。
パラメータを推定する上記段階は、Ｐ−ＣＰＩＣＨ、Ｓ−ＣＰＩＣＨ及びＤＬ−ＤＰＣＨにおいて送信された信号の共同使用に基づいて行われる。
【００１１】
パラメータを推定する上記段階は、チャンネル推定ステップを含む。ビーム信号のチャンネル推定は、ビーム信号とアンテナ信号との間の統計学的特性を使用することにより計算できる。又、ビーム信号のチャンネル推定は、アンテナ信号の以前の知識を使用することにより計算できる。又、ビーム信号のチャンネル推定は、ビーム信号の以前の知識を更に使用することにより計算できる。
【００１２】
上記チャンネルは、次の式で推定され、
2008199636.tif 000003
但し、
2008199636.tif 000004
2008199636.tif 000005
2008199636.tif 000006
【００１３】
本発明は、その更に別の特徴において、適応アンテナ送信器を有するＷ−ＣＤＭＡ通信システムの受信器においてチャンネル推定を決定する方法であって、専用の物理的チャンネルを有するビーム信号を受信し、一次共通パイロットチャンネルを有するアンテナ信号を受信し、そして上記一次共通パイロットチャンネルにおいて受信されたパイロット信号に基づいて上記受信されたビーム信号に対してチャンネル推定を実行するという段階を備えた方法を提供する。
【００１４】
上記チャンネル推定は、更に、専用の物理的チャンネルにおいて受信された専用パイロット及び／又はデータ記号に基づいて行われる。
又、ビーム信号は、二次共通パイロットチャンネル（Ｓ−ＣＰＩＣＨ）も含む。パラメータを推定する上記段階は、この二次共通パイロットチャンネルにおいて送信されたパイロット信号を使用することができる。
パラメータを推定する上記段階は、Ｐ−ＣＰＩＣＨ、Ｓ−ＣＰＩＣＨ及びＤＬ−ＤＰＣＨにおいて送信された信号の共同使用に基づいて行われる。
【００１５】
本発明は、その更に別の特徴において、適応アンテナ送信器を有する通信システムの受信器において、ビーム信号を受信するための第１入力手段と、アンテナ信号を受信するための第２入力手段と、該第２入力手段に接続され、そのアンテナ信号において受信された情報に基づきその受信したビーム信号のパラメータを推定するための推定手段とを備えた受信器を提供する。
【００１６】
上記推定手段は、更に、第１入力手段に接続されて、上記ビーム信号において更に受信される情報に基づいてパラメータを推定する。
上記アンテナ信号は、共通のパイロットチャンネルを含み、上記情報は、この共通のパイロットチャンネルにおいて受信される。
上記ビーム信号は、専用チャンネルを含み、上記情報は、更に、この専用チャンネルにおいて受信される。
Ｗ−ＣＤＭＡシステムは、このような受信器を含む。Ｗ−ＣＤＭＡシステムは、このような受信器を含む少なくとも１つの移動ステーションを備えている。
【００１７】
上記アンテナ信号は、一次共通パイロットチャンネルを含む。パラメータを推定する上記段階は、この一次共通パイロットチャンネルにおいて送信されたパイロット信号を使用することができる。
上記ビーム信号は、専用の物理的チャンネルを含む。パラメータの推定は、この専用の物理的チャンネルにおいて送信されたパイロット信号を使用することができる。
上記ビーム信号は、二次共通パイロットチャンネル（Ｓ−ＣＰＩＣＨ）を含み、上記情報は、更に、この二次共通パイロットチャンネルにおいて受信される。
パラメータの推定は、チャンネル推定ステップを含むのが好ましい。
【発明を実施するための最良の形態】
【００１８】
以下、添付図面を参照して本発明を一例として詳細に説明する。
図１にはマルチセクタのＷ−ＣＤＭＡセルの一例が示されており、これを参照して本発明を説明する。しかしながら、本発明は、このような特定例に限定されない。
複数の移動ステーション又はユーザ装置がセル内をローミングする。例えば、図１に示すように、移動ステーション１３０は、セル１０６に接続され、移動ステーション１３２は、セル１０４に接続され、そして移動ステーション１３４は、セル１０４及び１０８に接続される。
ベースステーションセル１０２は、Ｎ個のセクタに分割され、図１の例ではＮ＝３である。
【００１９】
図１のセクタ１０６で例示されたように、各セクタは、ベーストランシーバステーション１１２を使用してＫ個の固定ビーム又は操向可能な（ユーザ特有の）ビームに分割することができる。ビーム１１６は、二次共通パイロットチャンネルを表わし、ビーム１２０は、ダウンリンク専用物理的チャンネルを表わし、そしてビーム１１８は、一次共通パイロットチャンネルを表わす。
図１のセクタ１０４は、ベーストランシーバステーション１１０を使用する従来の単一アンテナ送信構成を示す。ビーム１２０は、ダウンリンクの専用物理的チャンネルであり、そしてビーム１１８は、一次共通パイロットチャンネルである。
【００２０】
図１のセクタ１０８は、ベーストランシーバステーション１１４を使用するユーザ特有のビーム成形を示す。ビーム１２０は、ダウンリンク専用物理的チャンネルであり、そしてビーム１１８は、一次共通パイロットチャンネルである。
従って、図１は、異なる送信構成に必要なＣＰＩＣＨと、単一ユーザのＤＬ−ＣＰＣＨとを示す。
【００２１】
本発明の説明上、図１の例の３つのベーストランシーバステーションの２つは、セルの種々のセクタ内の移動ステーションと通信するための適応アンテナ技術を使用する。適応アンテナ技術を使用する２つのセルは、セル１０６及び１０８である。適応アンテナ技術は、公知であり、本発明は、このような技術の特定の実施細部に直接関係するものではない。当業者に明らかなように、適応アンテナ技術を使用するときには、ベーストランシーバステーション１００は、細いビームにより移動ステーションへ移動特有のデータを送信する。
【００２２】
Ｗ−ＣＤＭＡ仕様は、適応アンテナシステムに対し順方向リンクに３つの異なる形式のパイロットチャンネルを規定している。これらのパイロットチャンネルは、次の通りである。
１．Ｐ−ＣＰＩＣＨ（一次共通パイロットチャンネル）；
２．Ｓ−ＣＰＩＣＨ（二次共通パイロットチャンネル）；及び
３．ＤＰＣＣＨ（専用物理的制御チャンネル）における専用パイロット記号。
【００２３】
Ｐ−ＣＰＩＣＨは、マルチセクタ構成体の全セクタを経てブロードキャストされ、そして各セクタに対してこのようなチャンネルは１つしかない。Ｐ−ＣＰＩＣＨは、ハンドオーバー測定及びセル選択／再選択手順に有用である。Ｐ−ＣＰＩＣＨチャンネルの別の機能は、共通チャンネルが専用チャンネルに関連していないか又は適応アンテナ技術に含まれないときに、専用チャンネルについて移動ステーションにおけるチャンネル推定を助成し、そして共通チャンネルについてチャンネル推定基準を与えることである。
【００２４】
Ｓ−ＣＩＰＣＨは、セル全体を経て又はセルの一部分のみを経て送信される。
Ｓ−ＣＩＰＣＨは、セル又はセクタ当り０でもよいし、１でもよいし又は多数でもよい。Ｓ−ＣＩＰＣＨを使用する１つの典型的な領域は、セクタ当り多数の（固定）ビームを有するベースステーションとのオペレーションである。Ｓ−ＣＩＰＣＨは、移動ステーションにおいて異なるビームを識別するのに使用される。
【００２５】
専用のパイロット記号は、ダウンリンクの専用物理的チャンネル（ＤＰＣＨ）へとマルチプレクスされる。それらは、信号対干渉比（ＳＩＲ）の推定に使用され、そしてチャンネル推定にも使用される。Ｐ−ＣＰＩＣＨが位相基準ではなくそしてＳ−ＣＩＰＣＨが使用できないことが移動ステーション又はユーザ装置に通知された場合には、ＤＬ−ＤＰＣＣＨにおける専用のパイロットビットがＤＬ−ＤＰＣＣＨに対する位相基準となる。これは、例えば、ユーザ特有のビーム成形の場合に起こり得る。
【００２６】
本発明によれば、一次共通パイロットチャンネルＰ−ＣＰＩＣＨを使用して、適応アンテナシステムの移動ステーション又はユーザ装置においてパラメータを推定することが提案される。好ましくは、以下に詳細に述べるように、一次共通パイロットチャンネルは、パラメータを推定するために既存のチャンネルと組み合わせて使用される。一次共通パイロットチャンネルが移動ステーションにおいてチャンネル推定に使用されるのが特に効果的である。
【００２７】
たとえユーザ特有のビーム成形が適応アンテナシステムに適用されても、Ｐ−ＣＰＩＣＨをブロードキャストしなければならない。これは、全移動ステーションに使用できる強い出力のパイロットチャンネルが存在することを意味する。多くの場合に、連続的で且つ非電力制御のＰ−ＣＰＩＣＨのＳＮＲは、時間マルチプレクスされそして電力制御されるＤＬ−ＤＰＣＣＨのＳＮＲより非常に良好である。ＳＮＲの相対的な差（Ｐ−ＣＰＩＣＨ対ＤＬ−ＤＰＣＨ）は、移動ステーションがベースステーション付近に位置されたときに最大となる。
【００２８】
本発明によるチャンネル推定技術のここに提案する実施形態を以下に述べる。
一般的なケースでは、共同チャンネル推定構成は、適応性であるように設計されるのが好ましい。というのは、チャンネル特性が、時間の関数として変化するからである。共同チャンネル推定の適応性は、例えば、相関測定に基づくことができる。以下の式は、共同チャンネル推定を実施する１つの考えられる方法を説明する。共同解は、次のように計算される。
2008199636.tif 000007
但し、
2008199636.tif 000008
そして
2008199636.tif 000009
重みファクタは、次のように計算できる。
2008199636.tif 000010
2008199636.tif 000011
2008199636.tif 000012
【００２９】
図２は、例示的なＷ−ＣＤＭＡシステムにおいて本発明を実施するのに適した受信器の主要素を示すブロック図である。図２を参照すれば、３つの相関バンク２０２、２０４及び２０６が設けられている。更に、検出及びレーキ合成器２１４と、チャンネルデコードブロック２１８も設けられている。
相関バンク２０２は、通常のデータ送信に対し受信器の入力手段として働く。
相関バンク２０４は、送信アンテナからのビーム信号における専用パイロットチャンネルに対し受信器の入力手段として働く。相関バンク２０６は、送信アンテナからのアンテナ信号におけるブロードキャストチャンネルに対し受信器の入力手段として働く。
【００３０】
３つの相関バンクは、各信号に対する相関を実行し、全ての信号は、ライン２００で一般的に示された受信器アンテナにおいて受信される。
相関装置２０２、２０４及び２０６の出力部の各々は、ライン２０８、２１０及び２１２に各出力を発生し、これらは、検出及びレーキ合成器２１４への入力を形成する。レーキ合成器２１４のライン２１６の出力は、チャンネルデコードブロックへ供給される。チャンネルデコードされた信号は、更なる処理のためにライン２２０に供給される。
【００３１】
ユーザ特有のビーム成形の場合に、ビーム信号とアンテナ信号との間には著しい相関関係がある。Ｐ−ＣＰＩＣＨとＤＬ−ＤＰＣＣＨとの間の相関は、Ｐ−ＣＰＩＣＨが全てのアンテナ素子（単一アンテナだけではなく）を経て送信される場合に強めることができる。分散角度（ベーストランシーバステーションから見た）が狭いほど、アンテナ信号とビーム信号との間の相関は強くなる。相関特性は、たとえＤＬ−ＤＰＣＨがビーム信号を経て送信されてもＰ−ＣＰＩＣＨベースのチャンネル推定（アンテナ信号）が（分散角度に基づいて）良好に働くことから明らかである。相関特性は、ＤＬ−ＤＰＣＨのチャンネル推定（共同チャンネル推定）にＰ−ＣＰＩＣＨ及びＤＬ−ＤＰＣＣＨの両方を使用することにより利用することができる。
【００３２】
無線チャンネルにおける分散角度が小さく、そしてタップ当りのＳＮＲが低い（ノイズ制限環境）場合には、Ｐ−ＣＰＩＣＨベースの構成は、ＤＬ−ＤＰＣＣＨベースのチャンネル推定より良好に働く。しかしながら、ＳＮＲ値が高いときには、専用のパイロットベース構成が、Ｐ−ＣＰＩＣＨベースの構成より良好に働く。従って、（Ｐ−ＣＰＩＣＨ及びＤＬ−ＤＰＣＣＨのみをベースとする構成に比して）選択合成によるだけでチャンネル推定の性能を改善することができる。一方、Ｐ−ＣＰＩＣＨ及びＤＬ−ＤＰＣＣＨの両方がＤＬ−ＤＰＣＨのチャンネル推定（共同チャンネル推定）に使用される場合には、送信パイロット信号の全エネルギーを利用することができる。従って、共同推定は、Ｐ−ＣＰＩＣＨのみ又はＤＬ−ＤＰＣＣＨのみをベースとする構成よりも常に良好であると予想される。
【００３３】
Ｓ−ＣＰＩＣＨも、例えば、マルチビーム送信の場合に、専用チャンネルに対し移動ステーションにおいてチャンネル推定を助成するのに使用できる。従って、共同パラメータ推定の原理は、Ｓ−ＣＰＩＣＨ送信の場合にも適用できる（Ｓ−ＣＰＩＣＨ＆Ｐ−ＣＰＩＣＨ、Ｓ−ＣＰＩＣＨ＆Ｐ−ＣＰＩＣＨ＆ＤＬ−ＤＰＣＨ）。
マクロセルラー無線環境では、分散角度が通常比較的低く、多数のチャンネルタップがあり（チャンネルタップ当りのＳＮＲは低く、パラメータ推定の観点からノイズ制限エリア）、多数のチャンネルタップ（各タップは、角度ドメインにおいて個別のクラスター）があり、ＬＯＳ（強い相関、狭い分散角度）であり、そして移動速度を高くできると仮定する。
【００３４】
従って、本発明は、ビーム信号（ＤＬ−ＤＰＣＨ）とアンテナ信号（Ｐ−ＣＰＩＣＨ）との間の相関をパラメータ推定（特にチャンネル推定）に使用する技術を提供する。この相関は、相関特性が時間の関数として変化するので、好ましくは適応性である共同チャンネル推定構成に効果的に利用される。共同チャンネル推定の適応性は、例えば、相関測定に基づくものである。
【図面の簡単な説明】
【００３５】
【図１】各セル（３セクタ構成）に異なる送信構成を使用するＷ−ＣＤＭＡベースステーションセルの一例を示す図である。
【図２】本発明を実施するのに必要な受信器の要素をブロック形態で示す図である。
【図１】
2008199636.tif 000021
【図２】
2008199636.tif 000022